(57)【特許請求の範囲】
【請求項１】
リング挿入穴を有するカバー部材；
このリング挿入穴にカバー部材の外側から挿入され、該カバー部材に係止される飾りリング；
上記カバー部材の内側に配置されるスイッチ板；
このスイッチ板内に、打ち抜き溝によって形成された、上記飾りリング内に先端自由端部の押圧操作部が位置する片持ちのスイッチ腕；
を有し、
上記スイッチ板に、カバー部材のリング挿入穴から挿入される飾りリングの位置決め部を設けたことを特徴とする押しボタンスイッチ装置。
【請求項２】
請求項１記載の押しボタンスイッチ装置において、スイッチ板の上記打ち抜き溝は、片持ちスイッチ腕の長さ方向の両側に位置する一対の略平行な直線状溝部と、この一対の直線状溝部の先端に連なるＣ字状溝部とを有し、
スイッチ板の上記飾りリングの位置決め部は、この打ち抜き溝のＣ字状溝部から内方に突出され、飾りリングの外周面に当接する少なくとも３個の径方向の位置決め突起によって構成されている押しボタンスイッチ装置。
【請求項３】
請求項２記載の押しボタンスイッチ装置において、さらに、スイッチ板と飾りリングの間には、飾りリングの円周の位置を定める円周方向ストッパ面が形成されている押しボタンスイッチ装置。
【請求項４】
請求項２または３記載の押しボタンスイッチ装置において、上記スイッチ板の打ち抜き溝のＣ字状溝部と飾りリングの間の隙間、及びカバー部材のリング挿入穴と飾りリングの間の隙間には、接着剤が充填される押しボタンスイッチ装置。
【請求項５】
請求項１ないし４のいずれか１項記載の押しボタンスイッチ装置において、片持ちスイッチ腕の押圧操作部は、打ち抜き溝のＣ字状溝部と同心の平面円形の隆起頭部を有し、この隆起頭部に、外観に露出するキャップが被着されている押しボタンスイッチ装置。
【発明の詳細な説明】
【０００１】
【技術分野】
本発明は、押しボタンスイッチ装置に関する。
【０００２】
【従来技術及びその問題点】
カメラ等の携行機器に広く用いられる押しボタンスイッチ装置は一般に、外観に露出するカバー部材にリング挿入穴を形成して、このリング挿入穴にカバー部材の外側から飾りリングを挿入係止する。一方、カバー部材の内側には、飾りリング内に押圧操作部が位置するスイッチ部材を配置し、この押圧操作部を押圧操作することで、スイッチ（例えば電源スイッチ）をオンオフする。
【０００３】
このような押しボタンスイッチ装置では、飾りリングはカバー部材の外側からリング挿入穴に係止され、押圧操作部はカバー部材の内側から飾りリング内に挿入されるため、飾りリングと押圧操作部の同心性を確保することが困難である。
押圧操作部が飾りリングと干渉すると、滑らかな作動が確保できない。
【０００４】
【発明の目的】
本発明は、カバー部材の外側から飾りリングを挿入係止し、内側にスイッチ部材の押圧操作部を位置させる押しボタンスイッチ装置において、押圧操作部と飾りリングの干渉を生じることがなく、滑らかに作動する装置を得ることを目的とする。
【０００５】
【発明の概要】
本発明は、カバー部材の内側に位置させる単一のスイッチ板に、押圧操作部と、飾りリングの位置決め部とを設ければ、押圧操作部と飾りリングの干渉を防止できるという着眼に基づいて完成されたものである。
すなわち、本発明による押しボタンスイッチ装置は、リング挿入穴を有するカバー部材；このリング挿入穴にカバー部材の外側から挿入され、該カバー部材に係止される飾りリング；及びカバー部材の内側に配置されるスイッチ板；を有し、このスイッチ板内に、打ち抜き溝によって形成された、飾りリング内に先端自由端部の押圧操作部が位置する片持ちのスイッチ腕と、カバー部材のリング挿入穴から挿入される飾りリングの位置決め部とを設けたことを特徴としている。
【０００６】
スイッチ板の打ち抜き溝は、具体的には、片持ちスイッチ腕の長さ方向の両側に位置する一対の略平行な直線状溝部と、この一対の直線状溝部の先端に連なるＣ字状溝部とによって構成するのが実際的である。そして、飾りリングの位置決め部は、この打ち抜き溝のＣ字状溝部から内方に突出され、飾りリングの外周面に当接する少なくとも３個の径方向の位置決め突起によって構成する。スイッチ板と飾りリングの間にはさらに、飾りリングの円周の位置を定める円周方向ストッパ面を形成することが望ましい。
【０００７】
スイッチ板の打ち抜き溝のＣ字状溝部と飾りリングの間の隙間、及びカバー部材のリング挿入穴と飾りリングの間の隙間に、接着剤を充填することで、カバー部材、飾りリング及びスイッチ板を固定することができる。
【０００８】
片持ちスイッチ腕の押圧操作部には、打ち抜き溝のＣ字状溝部と同心の平面円形の隆起頭部を設け、この隆起頭部に、外観に露出するキャップを被着することができる。
【０００９】
【発明の実施形態】
図１ないし図４は、本発明の押しボタンスイッチ装置の一実施形態を示している。携行機器（例えばカメラ）の外観部材であるカバー部材１０には、円形のリング挿入穴１１が穿設されている。飾りリング２０は、このリング挿入穴１１内に挿入される筒状部２１と、この筒状部２１の外端部に突出形成した外方フランジ２２とを有する。筒状部２１の外径ｄ２は、リング挿入穴１１の内径ｄ１より小さく（ｄ２＜ｄ１）、外方フランジ２２の外径ｄ０は、リング挿入穴１１の内径ｄ１より大きい（ｄ０＞ｄ１）。従って、飾りリング２０の筒状部２１をリング挿入穴１１内に挿入すると、外方フランジ２２がカバー部材１０の外面に当接する位置で係止される。
【００１０】
カバー部材１０の内面には、スイッチ板３０が位置しており、このスイッチ板３０には、打ち抜き溝（貫通溝）３１によって片持ちのスイッチ腕３２が形成されている。打ち抜き溝３１は、一対の平行をなす直線状溝部３１ａと、この一対の直線状溝部３１ａの先端に連なるＣ字状溝部（不完全環状溝）３１ｂとからなっていて、スイッチ腕３２は、この一対の直線状溝部３１ａに挟まれた直線状部３２ａと、Ｃ字状溝部３１ｂに対応する平面円形の押圧操作部３２ｂとを有している。押圧操作部３２ｂには、その上面中央に平面的に見て円形をなす隆起頭部３２ｃが形成され、下面に、押圧突起３２ｄを備えている。この押圧突起３２ｄは、カバー部材１０（携行機器）の内部に固定されているスイッチ基板１２上の押圧スイッチ１３に対応し、片持ちスイッチ腕３２の先端押圧操作部３２ｂを押圧することで、押圧スイッチ１３がオンオフ（操作）される。スイッチ腕３２は、成形時に、その先端の押圧操作部３２ｂ側が上昇する（押圧突起３２ｄが押圧スイッチ１３から離れる）ような弾性が与えられている。
【００１１】
飾りリング２０の筒状部２１の内面には、図２、図３に示すように、入口部の小径筒状部２１ａと、奥部の大径筒状部２１ｂとを有する段付穴が形成されている。スイッチ腕３２の押圧操作部３２ｂの外径ｄ４は、大径筒状部２１ｂの内径ｄ３より小さく（ｄ４＜ｄ３）、小径筒状部２１ａの内径ｄ５より大きい（ｄ４＞ｄ５）。従って、スイッチ腕３２の押圧操作部３２ｂは、小径筒状部２１ａと大径筒状部２１ｂの間の段部によって上昇端を規制される。打ち抜き溝３１のＣ字状溝部３１ｂの内径は、筒状部２１の外径ｄ２より十分大きい。
【００１２】
打ち抜き溝３１のＣ字状溝部３１ｂの内面には、飾りリング２０の径方向の位置を定める３個の位置決め突起３３ａ、３３ｂ、３３ｂが突出形成されている。
位置決め突起３３ａは、スイッチ腕３２の直線状部３２ａの延長方向に位置し、一対の位置決め突起３３ｂは直線状部３２ａと位置決め突起３３ａを結ぶ線分に関し対称に位置している。これらの位置決め突起３３ａと一対の位置決め突起３３ｂは、カバー部材１０のリング挿入穴１１に挿入された飾りリング２０の筒状部２１の外面に当接して、スイッチ板３０に対する飾りリング２０の径方向の位置を定める。Ｃ字状溝部３１ｂの内面には、位置決め突起３３ｂに隣接させて、飾りリング２０の円周の位置を定める円周方向ストッパ面３３ｃが形成されており、筒状部２１には、この一対の円周方向ストッパ面３３ｃに係合する一対の切欠ストッパ面２１ｃ（図１）が形成されている。
【００１３】
上記構成の本押しボタンスイッチ装置は、組立に当たって、カバー部材１０の内面にスイッチ板３０を配置し、そのＣ字状溝部３１ｂを概ねリング挿入穴１１の下方に位置させる。この状態において、カバー部材１０の外面からリング挿入穴１１に飾りリング２０の筒状部２１を挿入し、さらに、該筒状部２１をスイッチ板３０の打ち抜き溝３１のＣ字状溝部３１ｂに挿入してその外面を位置決め突起３３ａと３３ｂに接触させる。また飾りリング２０を回転させて、その切欠ストッパ面２１ｃを円周方向ストッパ面３３ｃに係合させると、飾りリング２０のスイッチ板３０に対する径方向及び円周方向（回転方向）の位置が決定される。
すなわち、円形の押圧操作部３２ｂの中心と飾りリング２０の筒状部２１の中心とが、上面（図４紙面垂直方向）からみて同心となる位置に固定される。
【００１４】
この状態において、打ち抜き溝３１のＣ字状溝部３１ｂと飾りリング２０の筒状部２１の外面との間の隙間、及びカバー部材１０のリング挿入穴１１と筒状部２１の外面との間の隙間に接着剤を流し込むと、飾りリング２０の中心に、スイッチ板３０のスイッチ腕３２の押圧操作部３２ｂが正しく位置した状態で、飾りリング２０とスイッチ板３０が固定、またスイッチ板３０はカバー部材１０の内面に固定される。このとき、カバー部材１０のリング挿入穴１１の中心と、飾りリング２０の筒状部２１の中心とがずれたとしても、押圧操作部３２ｂの操作性には干渉しないので、何等問題はない。
【００１５】
すなわち、スイッチ板３０の打ち抜き溝３１、スイッチ腕３２、位置決め突起３３ａ、３３ｂ、円周方向ストッパ面３３ｃの位置は、スイッチ板３０の成形型によって厳密に設定することができ、飾りリング２０は、これらの厳密に寸法が設定されているスイッチ板３０の径方向位置決め突起３３ａ、３３ｂと円周方向ストッパ面３３ｃによりその位置が定められているため、飾りリング２０内に位置するスイッチ腕３２の押圧操作部３２ｂは、飾りリング２０と干渉することがない。スイッチ腕３２の隆起頭部３２ｃには、以上の組立の前または後に、外観に露出するキャップ３４が被着されている。
【００１６】
組立完了状態では、飾りリング２０の筒状部２１の中心に位置するスイッチ腕３２のキャップ３４（隆起頭部３２ｃ、押圧操作部３２ｂ）を押圧することにより、直線状部３２ａを弾性変形させて押圧突起３２ｄにより押圧スイッチ１３を押圧し、スイッチ操作を行うことができる。スイッチ腕３２に対する操作力を開放すると、スイッチ腕３２は直線状部３２ａの復元力で復元し、押圧操作部３２ｂが小径筒状部２１ａと大径筒状部２１ｂの段部に当接する位置で復帰端が規制される。
【００１７】
以上の実施形態のスイッチ板３０の位置決め突起３３ａ、３３ｂと円周方向ストッパ面３３ｃの形態は一例である。要は、カバー部材１０のリング挿入穴１１から挿入した飾りリング２０の位置を、カバー部材１０の内側に位置し片持ちスイッチ腕３２を有するスイッチ板３０によって決定すれば、飾りリングとスイッチ腕の押圧操作部との干渉を防ぐことができる。
【００１８】
【発明の効果】
本発明によれば、カバー部材の外側から飾りリングを挿入係止し、内側にスイッチ部材の押圧操作部を位置させる押しボタンスイッチ装置において、押圧操作部と飾りリングの干渉を生じることがなく、滑らかに作動する装置を得ることができる。
【図面の簡単な説明】
【図１】本発明による押しボタンスイッチ装置の一実施形態を示す分解斜視図である。
【図２】図１のII‐II線に沿う組立状態の断面図である。
【図３】図１のIII‐III線に沿う組立状態の断面図である。
【図４】図３のIV‐IV線に沿う組立状態の断面図である。
【符号の説明】
１０  カバー部材
１１  リング挿入穴
１２  スイッチ基板
１３  押圧スイッチ
２０  飾りリング
２１  筒状部
２１ａ  小径筒状部
２１ｂ  大径筒状部
２１ｃ  切欠ストッパ面
２２  外方フランジ
３０  スイッチ板
３１  打ち抜き溝
３１ａ  直線状溝部
３１ｂ  Ｃ字状溝部
３２  スイッチ腕
３２ａ  直線状部
３２ｂ  押圧操作部
３２ｃ  隆起頭部
３２ｄ  押圧突起
３３ａ  ３３ｂ    径方向位置決め突起
３３ｃ  円周方向ストッパ面
３４  キャップ
【図１】
0004567915.tif 000002
【図２】
0004567915.tif 000003
【図３】
0004567915.tif 000004
【図４】
0004567915.tif 000005